(57)【特許請求の範囲】
【請求項１】
地震を検知したら地震検知信号を出力する地震検知手段と、
前記地震検知信号を受けて、特定の電路を即時遮断するための地震発生信号を出力する送信部、及び前記地震検知信号の受信から所定時間後に住戸内の電路を一括遮断するための遅延遮断信号を出力する遅延信号出力部を備えた制御ユニットと、
電気機器を接続するためのコンセント、及び前記地震発生信号を受信する受信部、更に前記コンセントへの通電を遮断する遮断手段、加えて前記地震発生信号を受信したら前記遮断手段を遮断制御する遮断制御部を備えたコンセントユニットと、
前記地震発生信号を受信する受信部、及び前記一括遮断を予告する報音部、更に公衆通信網を介して特定の携帯端末に対して地震発生を通知するための通信部を備えた通知ユニットと、
室内を撮像するカメラ、及び前記地震発生信号を受信する受信部、更に前記カメラが撮像した映像を前記通知ユニットに送信する情報送信部を備えたカメラユニットとを有し、
前記通知ユニットは、前記カメラユニットから送信された映像を受信する情報受信部を有して、受信した映像を前記携帯端末に送信する情報送信制御部を有することを特徴とする感震遮断システム。
【請求項２】
前記カメラユニットの前記情報送信部が無線送信する無線送信部であり、前記通知ユニットの前記カメラユニットから映像を受信する前記情報受信部が無線受信部であることを特徴とする請求項１記載の感震遮断システム。
【請求項３】
前記カメラユニットは周囲の音を集音する収音部を有して、前記通知ユニットに対して映像に加えて集音した音情報も送信し、
前記通知ユニットは、前記カメラユニットから受信した映像と音情報を前記携帯端末に送信することを特徴とする請求項１又は２記載の感震遮断システム。
【請求項４】
前記制御ユニットの前記送信部が前記地震発生信号を無線発信する無線送信部であると共に、
前記コンセントユニットの前記受信部、及びカメラユニットの前記受信部は、無線発信された前記地震発生信号を受信する無線受信部であることを特徴とする請求項１乃至３の何れかに記載の感震遮断システム。
【発明の詳細な説明】
【技術分野】
【０００１】
本発明は、地震発生を受けて電力の供給を停止する感震遮断システムに関する。
【背景技術】
【０００２】
従来より、地震の発生を受けて電力の供給を停止する感震遮断システムがある。このような感震遮断システムでは、エレベータや自動扉等は安全上急に停止させることが出来ないため、直ぐに電力の供給を停止せずに一定の条件を設けて遅延して遮断動作するよう制御している。
例えば特許文献１では、地震が発生しても分電盤全体を遮断せず、その後停電が発生したのち復電した時点で電力の遮断を実施することで、居住者に対して不都合とならないように遮断すると共に、停電が回復して復電した際に火災が発生しないように制御している。
一方で、地震発生を受けて自宅内部に設置したカメラを起動して撮影し、その撮像画像を外出先の居住者が携行する携帯端末等に送信するシステムが提案されている（例えば、特許文献２参照）。
【先行技術文献】
【特許文献】
【０００３】
【特許文献１】特開平９−２１５１７８号公報
【特許文献２】特開２００３−２９４８４９号公報
【発明の概要】
【発明が解決しようとする課題】
【０００４】
上記特許文献１の技術は、地震発生を受けて即時に遮断することはないため、発熱するヒーターや空調等も電力の供給が継続される。しかしながら、これらの電気機器は即時にオフさせるのが好ましく、そのためには遅延遮断のラインとは別に即時遮断するラインを設ける必要があった。
一方で、上記特許文献２に開示されているような地震発生を受けて画像を送信する技術は、外出先において速やかに自宅の被害状況を確認できるため、居住者にとっては帰宅するまで不安を抱き続ける必要が無くなるし、外部から早めの処置を講ずることも可能であり、便利である。しかしながら、地震の発生を受けて電力を遮断するシステムと合わせて設置するとなると感震手段等が重複することでコスト高となり、一般住宅に容易に設置出来るシステムではなかった。
【０００５】
そこで、本発明はこのような問題点に鑑み、地震発生を受けて即時遮断と遅延遮断するラインを併設することなく１つの電源ラインのみで設置可能とし、更にカメラを備えて地震発生時の映像を居住者が携行する端末に送信する感震遮断システムを提供することを目的としている。
【課題を解決するための手段】
【０００６】
上記課題を解決する為に、請求項１の発明に係る感震遮断システムは、地震を検知したら地震検知信号を出力する地震検知手段と、地震検知信号を受けて、特定の電路を即時遮断するための地震発生信号を出力する送信部、及び地震検知信号の受信から所定時間後に住戸内の電路を一括遮断するための遅延遮断信号を出力する遅延信号出力部を備えた制御ユニットと、電気機器を接続するためのコンセント、及び地震発生信号を受信する受信部、更にコンセントへの通電を遮断する遮断手段、加えて地震発生信号を受信したら遮断手段を遮断制御する遮断制御部を備えたコンセントユニットと、地震発生信号を受信する受信部、及び一括遮断を予告する報音部、更に公衆通信網を介して特定の携帯端末に対して地震発生を通知するための通信部を備えた通知ユニットと、室内を撮像するカメラ、及び地震発生信号を受信する受信部、更にカメラが撮像した映像を通知ユニットに送信する情報送信部を備えたカメラユニットとを有し、通知ユニットは、カメラユニットから送信された映像を受信する情報受信部を有して、受信した映像を携帯端末に送信する情報送信制御部を有することを特徴とする。
この構成によれば、地震が発生したら制御ユニットが出力する遅延遮断信号により、分電盤等において一括遮断を遅延実施できる。そして、地震発生信号により地震発生時に即時遮断すべき電気機器の電源を遮断でき、火災発生の防止と居住者の安全確保の両立が可能となる。更に、コンセントにおいて即時遮断を実施するため、即時遮断するラインを一括遮断するラインから独立して配設する必要が無く低コストで構成できる。
また、地震発生の通知に加えて室内の映像も居住者が携行する携帯端末に送信できるため、外出中の居住者は地震発生情報に加えて自宅の状況を把握でき安心できるし、必要に応じて外出先から対処することが可能となる。
【０００７】
請求項２の発明は、請求項１に記載の構成において、カメラユニットの情報送信部が無線送信する無線送信部であり、通知ユニットのカメラユニットから映像を受信する情報受信部が無線受信部であることを特徴とする。
この構成によれば、カメラユニットと通知ユニットとの間に配線が必要ないため、カメラユニットを任意の場所に設置できる。
【０００８】
請求項３の発明は、請求項１又は２に記載の構成において、カメラユニットは周囲の音を集音する収音部を有して、通知ユニットに対して映像に加えて集音した音情報も送信し、通知ユニットは、カメラユニットから受信した映像と音情報を携帯端末に送信することを特徴とする。
この構成によれば、携帯端末において映像の表示に合わせて音情報も得ることができ、部屋の状況を把握し易い。
【０００９】
請求項４の発明は、請求項１乃至３の何れかに記載の構成において、制御ユニットの送信部が地震発生信号を無線発信する無線送信部であると共に、コンセントユニットの受信部、及びカメラユニットの受信部は、無線発信された地震発生信号を受信する無線受信部であることを特徴とする。
この構成によれば、制御ユニットとコンセントユニットとの間に配線が必要ないため、コンセントユニットの設置が容易である。
【発明の効果】
【００１０】
本発明によれば、地震が発生したら制御ユニットが出力する遅延遮断信号により、分電盤等において一括遮断を遅延実施できる。そして、地震発生信号により地震発生時に即時遮断すべき電気機器の電源を遮断でき、火災発生の防止と居住者の安全確保の両立が可能となる。更に、コンセントにおいて即時遮断を実施するため、即時遮断するラインを一括遮断するラインから独立して配設する必要が無く低コストで構成できる。
また、地震発生の通知に加えて室内の映像も居住者が携行する携帯端末に送信できるため、外出中の居住者は地震発生情報に加えて自宅の状況を把握でき安心できるし、必要に応じて外出先から対処することが可能となる。
【図面の簡単な説明】
【００１１】
【図１】本発明に係る感震遮断システムの一例を示す構成図である。
【図２】地震検知手段と制御ユニットの説明図である。
【図３】コンセントユニットの回路ブロック図である。
【図４】通知ユニットの回路ブロック図である。
【図５】カメラユニットの回路ブロック図である。
【発明を実施するための形態】
【００１２】
以下、本発明を具体化した実施の形態を、図面を参照して詳細に説明する。図１は本発明に係る感震遮断システムの一例を示す構成図であり、１は地震発生を検知する地震検知手段としての感震センサ、２は感震センサ１の地震検知を受けて所定の信号を無線発信する制御ユニット、３は電気機器の電源線を接続するためのコンセント３１とこのコンセント３１への通電を遮断する遮断回路とを備えたコンセントユニット、４は一括遮断を予告すると共にスマートフォンやタブレット端末等の携帯端末７（図４に示す）と通信するための通知ユニット、６は室内に設置されて室内を撮像するカメラユニットである。
感震センサ１と制御ユニット２とは伝送線Ｌ１を介して接続され、通知ユニット４と制御ユニット２とは相互に無線通信を実施する。また、コンセントユニット３及びカメラユニット６は制御ユニット２から発信される地震発生信号を無線受信する。
【００１３】
感震センサ１と制御ユニット２は図示しない分電盤に設置され、コンセントユニット３は例えば壁面コンセントとして設置され、地震発生を受けて即時電源供給を停止したい電気機器が接続される。このコンセントユニット３は、従来の壁面コンセントに接続するテーブルタップとして、更には壁面コンセントに接続するアダプタとして構成しても良い。
【００１４】
通知ユニット４はキッチンやリビング等通知音を聞き易く、また操作し易い場所に設置される。またカメラユニット６は、キッチンや要介護者の寝室等、地震の発生により速やかに状況を確認したい部屋に設置される。
【００１５】
図２は感震センサ１と制御ユニット２の説明図であり、制御ユニット２は回路ブロックを示している。図２に示すように、感震センサ１は設定された震度を記憶する設定震度記憶部１１、設定された震度以上の地震を検知したら地震発生信号を出力する感震センサＣＰＵ１２等を備えている。
【００１６】
制御ユニット２は、伝送線Ｌ１を介して感震センサ１と通信するシリアル通信ＩＦ２１、作動状態（オン／オフ）を表示するＬＥＤから成る表示部２２、通知ユニット４と通信すると共に、コンセントユニット３及びカメラユニット６に所定の信号を送信する無線送信部としての無線部２３、電気機器を一括遮断するための遅延遮断信号を出力する遅延信号出力部としてのブレーカトリップ回路２４、制御ユニット２を制御する制御ユニットＣＰＵ２５、制御ユニット２の各回路に電源を供給する電源部２６等を備えている。制御ユニット２は、例えば分電盤の主幹バーに接続されて電源が供給される。
【００１７】
尚、２５ａはブレーカトリップ回路２４を遅延動作させるための所定時間である遅延時間を記憶する遅延時間記憶部、５はブレーカトリップ回路２４により遮断操作される遮断器としての漏電ブレーカであり、ブレーカトリップ回路２４は、疑似漏電電流を発生させる回路を介して漏電ブレーカ５に接続されている。この漏電ブレーカ５を、例えば分電盤の主幹ブレーカとすれば、遅延遮断信号を受けて住戸内に配設された全ての電路を一括遮断できる。
【００１８】
図３はコンセントユニット３の回路ブロック図を示している。コンセントユニット３は、図３に示すように電気機器のプラグが接続されるコンセント３１を有し、分電盤からコンセント３１に至る電路Ｌ２を開閉する接点３２、接点３２を開動作させるトリップコイル３３、トリップコイル３３を駆動するトリップコイル駆動回路３４、制御ユニット２から送信された地震発生信号を受信する無線受信部としての無線部３５、コンセントユニット３の状態（接点３２のオン／オフ状態）を表示するＬＥＤから成る表示部３６、コンセントユニット３を制御するコンセントユニットＣＰＵ３７、コンセントユニット３の各回路に電源を供給する電源部３８、接点３２の開動作を禁止するスイッチ３９等を備えている。
【００１９】
図４は通知ユニット４の回路ブロック図を示している。図４に示すように、通知ユニット４は停電を予告する（一定時間後に実施する一括遮断を予告する）ためのスピーカ４１、アナウンス音声を生成する音声合成部としての音声合成ＩＣ４２、通知ユニット４の状態を表示（電源表示及び地震発生表示）するためのＬＥＤから成る表示部４３、感震センサ１の地震感度を設定する感度設定部４４、一括遮断するまでの遅延時間を設定する遅延時間設定部４５、地震検知動作を停止させるリセットスイッチ４６、地震発生を外部に通知すると共に特定の携帯端末７と通信するための通信部としてのＬＡＮ−ＩＦ４７、制御ユニット２及びカメラユニット６と通信する無線部４８、通知ユニット４を制御する通知ユニットＣＰＵ５０、通知ユニット４の各回路に電源を供給する電源部５１等を備えている。
そして、ＬＡＮ−ＩＦ４７はモデム８を介して公衆通信ネットワークＮに接続され、この公衆通信ネットワークＮを介して携帯端末７と通信が可能となっている。
【００２０】
尚、通知ユニットＣＰＵ５０には、居住者が携行する携帯端末７の電話番号或いはアドレスデータが予め入力されて記憶しており、通知ユニットＣＰＵ５０の制御でＬＡＮ−ＩＦ４７を介して携帯端末７との通信が行われる。また電源部５１は、壁面コンセント等から商用電源を入手して直流電圧を出力するが、停電時に動作するよう電池を内蔵している。
【００２１】
カメラユニット６は、図５に示すように、設置された部屋を撮像するカメラ６５、部屋の音を集音する集音部６６、制御ユニット２から発信される地震発生信号を受信すると共に、通知ユニット４と通信するカメラユニット無線部６７、カメラユニット６を制御するカメラユニットＣＰＵ６８、カメラユニット６の各部に電源を供給する電源部６９等を備えている。電源部６９も通知ユニット４と同様に、壁面コンセント等から商用電源を入手して直流電圧を出力するが、停電時に動作するよう電池を内蔵している。
【００２２】
このように構成された感震遮断システムの動作は以下の様である。まず初期設定として、遮断制御する地震強度と、主電路を遮断する信号を遅延出力させる遅延時間が設定される。遮断制御する地震強度は、通知ユニット４の感度設定部４４で設定される。例えば、震度５弱、震度５強、震度６から選択して設定され、設定した感度情報は通知ユニットＣＰＵ５０の制御により、無線部４８から制御ユニット２に送信され、制御ユニット２はこの情報を感震センサ１に送信する。感震センサ１は感震センサＣＰＵ１２が設定震度記憶部１１に記憶し、感度が設定される。
【００２３】
また遅延時間の設定は、遅延時間設定部４５を操作して設定され、地震を検知してからブレーカトリップ回路２４が信号を出力するまでの所定時間（遅延時間）が設定される。例えば、１分後、３分後、７分後等から選択されて設定され、設定した遅延時間は地震感度設定と同様に制御ユニット２に送信され、制御ユニットＣＰＵ２５の制御により制御ユニット２の遅延時間記憶部２５ａに記憶される。
【００２４】
こうして、初期設定が終了するとシステムは待受状態となる。その後、地震が発生すると、感震センサ１が震度を判断して設定された震度、例えば震度５強或いはそれ以上の地震が発生したと判断したら制御ユニット２に対して地震検知信号を出力する。
この地震検知信号を受信した制御ユニット２では、制御ユニットＣＰＵ２５の制御により無線部２３から地震発生信号が発信され、コンセントユニット３、通知ユニット４、更にカメラユニット６に対して送信される。尚、無線部２３は例えば９２０ＭＨｚ帯の信号により通信を実施する。
【００２５】
同時に制御ユニットＣＰＵ２５は、遅延時間のカウントを開始し、遅延時間記憶部２５ａが記憶する遅延時間に達したら、一括遮断のための遅延遮断信号をブレーカトリップ回路２４に出力する。この遅延遮断信号により、ブレーカトリップ回路２４は漏電ブレーカ５に対して擬似漏電電流を流して遮断動作させる。この漏電ブレーカ５を分電盤の主幹ブレーカとすれば、住戸内の全ての電路が一括遮断する。
【００２６】
制御ユニット２から発信された地震発生信号を受信したコンセントユニット３では、コンセントユニットＣＰＵ３７の制御により、トリップコイル駆動回路３４が動作してトリップコイル３３がトリップ動作する。こうして、接点３２が開放されてコンセント３１に至る電路Ｌ２が遮断される。
【００２７】
また、地震発生信号を受信したカメラユニット６では、カメラユニットＣＰＵ６８の制御でカメラ６５を起動して撮像を開始すると共に、集音部６６を起動して集音を開始する。こうして撮像した映像データ及び集音した音データは、カメラユニット無線部６７から通知ユニット４に無線送信される。
【００２８】
一方、地震発生信号を受信した通知ユニット４では、通知ユニットＣＰＵ５０の制御により音声合成ＩＣ４２がメッセージを生成して、スピーカ４１から例えば「地震を検知しました。まもなく全ての電源を停止します」が報音される。また、表示部４３の表示が青色から赤色に変更される。
更に、カメラユニット６から受信した映像情報及び音情報を受信すると、予め登録されている携帯端末７に対して、地震発生情報と共に送信する。この情報はＬＡＮ−ＩＦ４７、モデム８、公衆通信ネットワークＮを介して送信される。この情報を受信した携帯端末７では、所定の表示操作が成されると地震発生情報と共に室内の映像が表示され、更に音情報が出力される。
【００２９】
このように、地震が発生したら制御ユニット２が出力する遅延遮断信号により、分電盤等において一括遮断を遅延実施できる。そして、地震発生信号により地震発生時に即時遮断すべき電気機器の電源を遮断でき、火災発生の防止と居住者の安全確保の両立が可能となる。また、コンセント３１において即時遮断を実施するため、即時遮断するラインを一括遮断するラインから独立して配設する必要が無く低コストで構成できる。
更に、地震発生の通知に加えて室内の映像も居住者が携行する携帯端末７に送信されるため、外出中の居住者は地震発生情報に加えて自宅の状況を把握でき安心できるし、必要に応じて外出先から対処することが可能となる。
また、カメラユニット６と通知ユニット４との間に配線が必要ないため、カメラユニット６を任意の場所に設置できるし、携帯端末７において映像の表示に合わせて音情報も得ることができ、部屋の状況を把握し易い。
更に、制御ユニット２とコンセントユニット３との間に配線が必要ないため、コンセントユニット３の設置が容易である。
【００３０】
尚、カメラユニット６は制御ユニット２から地震発生信号を無線受信するが、カメラユニット６と制御ユニット２を有線接続しても良い。
また、感震センサ１と制御ユニット２を別体としているが、一体としても良い。更にコンセントユニット３及びカメラユニット６は複数であっても良い。
【符号の説明】
【００３１】
１・・感震センサ（地震検知手段）、２・・制御ユニット、３・・コンセントユニット、４・・通知ユニット、５・・漏電ブレーカ（遮断器）、６・・カメラユニット、７・・携帯端末、２３・・無線部（送信部、無線送信部）、２４・・ブレーカトリップ回路（遅延信号出力部）、２５・・制御ユニットＣＰＵ（遅延信号生成部、所定時間制御部）、３１・・コンセント、３２・・接点（遮断手段）、３５・・無線部（無線受信部）、３７・・コンセントユニットＣＰＵ（遮断制御部）、４１・・スピーカ（報音部）、４７・・ＬＡＮ−ＩＦ（通信部）、４８・・無線部（無線受信部）、５０・・通知ユニットＣＰＵ（情報送信制御部）、６５・・カメラ、６６・・集音部、６７・・カメラユニット無線部（無線送信部）、６８・・カメラユニットＣＰＵ。
【図１】
0006545567.tif 000002
【図２】
0006545567.tif 000003
【図３】
0006545567.tif 000004
【図４】
0006545567.tif 000005
【図５】
0006545567.tif 000006